(57)【要約】【課題】  ヘッドに対してスキージを揺動可能に支持するスクリーン印刷装置において、ペーストの横漏れを確実に防止する。【解決手段】  スキージ３１をマスクシートＭに沿って相対的に往復移動させるヘッド１を備え、かつこのヘッド１に対してスキージ３１が回動可能に支持されているスクリーン印刷装置を対象とする。この装置のヘッド１には、ユニット組付部材１８が予め設けられており、スキージユニット３０（スキージ３１を保持したスキージホルダ３２）がこのユニット組付部材１８に対して着脱可能に組付けられている。スキージホルダ３２には、スキージ３１の両外側に配置されてペーストの側方への流動を阻止する横漏れ防止板３４が設けられている。これら横漏れ防止板３４はスキージ３１に対して相対的に揺動可能に設けられている。【選択図】      図１
2006069088.tif 000002
【特許請求の範囲】
【請求項１】
基板に重ねられたマスクシートに沿って相対的に往復移動するヘッドに、その移動方向と直交する方向に細長いスキージがその長手方向と平行な支持軸回りに回動可能に支持されたスクリーン印刷装置において、
前記ヘッドに、前記スキージの長手方向における両外側に配置されてペーストの側方への流動を阻止する横漏れ防止板が設けられ、これら横漏れ防止板と前記スキージとが前記支持軸と直交する方向に相対的に変位可能に設けられていることを特徴とするスクリーン印刷装置。
【請求項２】
請求項１に記載のスクリーン印刷装置において、
前記支持軸回りに回動可能なスキージ組付部が前記ヘッドに設けられ、このスキージ組付部にスキージが組付けられ、前記スキージ組付部の作動により前記ヘッドの往動時と復動時とで前記スキージの傾き方向を反転させながら印刷作業を行うように構成されるものであって、
前記横漏れ防止板は、その中心線を境に前記往動時にマスクシートに摺接する第１摺接面と復動時にマスクシートに摺接する第２摺動面とを対称に備えるとともに、前記スキージ組付部に対して前記中心線上に設けられる支点軸回りに相対的に揺動可能に支持され、かつ前記第１摺接面とスキージとがなす角度および第２摺動面とスキージとがなす角度が等しくなる中立位置を中心とする所定範囲内で前記支点軸回りに揺動可能に支持されていることを特徴とするスクリーン印刷装置。
【請求項３】
請求項２に記載のスクリーン印刷装置において、
前記横漏れ防止板は、前記中立位置を基準として前記支点軸回りに弾性的に揺動可能に支持されていることを特徴とするスクリーン印刷装置。
【請求項４】
請求項２又は３に記載のスクリーン印刷装置において、
前記スキージを保持したスキージホルダが前記スキージ組付部に対して着脱自在に組付けられることにより前記スキージがスキージ組付部に組付けられ、
前記横漏れ防止板が前記スキージホルダに組付けられることにより、このスキージホルダを介して前記スキージ組付部に横漏れ防止板が支持されていることを特徴とするスクリーン印刷装置。
【発明の詳細な説明】
【技術分野】
【０００１】
本発明は、プリント基板等の基板にクリーム半田等のペーストを塗布するスクリーン印刷装置に関するものである。
【背景技術】
【０００２】
従来から、ステージ上にセットした基板にマスクシート（以下、マスクという）を重装し、マスク上に供給したクリーム半田、導電ペースト等のペーストをスキージで拡張することにより、マスクに形成された開口部を介して基板上の所定位置にペーストを塗布（印刷）するようにしたスクリーン印刷装置が一般に知られている。
【０００３】
この種のスクリーン印刷装置としては、従来、傾き方向の異なる一対のスキージを昇降可能に備えたヘッドをもち、このヘッドをマスクに沿って往復移動させながら上記一対のスキージを交互に使ってペーストを拡張するものが主流であったが、この装置では、各スキージを別個に昇降させるために往時と復時の印刷荷重を均一に保つのが難しく、またマスクに対するスキージの接触角度の自由度が少ない等の課題があった。
【０００４】
そこで、近年では、例えば特許文献１に開示されるように、スキージをヘッドに対してその長手方向と平行な軸（支持軸）回りに揺動可能に支持したスクリーン印刷装置が提案されており、この装置によると、スキージを前記軸回りに駆動するだけでマスクに対する接触角度（スキージとマスクシート面とのなす角度）を任意に設定でき、また単一の機構でスキージを昇降駆動できるため往時と復時の印刷荷重を均一に保ち易くなる。
【特許文献１】特開平１０−３２３９６４号
【発明の開示】
【発明が解決しようとする課題】
【０００５】
ところで、スクリーン印刷装置では、スキージによりペーストを拡張させる際にペーストがスキージの長手方向両外側にはみ出して無駄に消費されたり、マスク上の不要な部分に付着することがあるため、多くの装置ではスキージの長手方向両外側に側板（横漏れ防止板）を設け、スキージと共にこれら横漏れ防止板をマスクに摺接させることによりペーストの横漏れを防止することが行われている。
【０００６】
従って、スキージの接触角度を任意に設定できる特許文献１に開示されるような装置についても、上記のように接触角度の自由度を確保する一方で、いずれの接触角度に設定された場合でもペーストの横漏れを確実に防止し得るようにすることが要求されるが、特許文献１にはこの点については何ら開示されていない。
【０００７】
本発明は上記の事情に鑑みてなされたものであって、ヘッドに対してスキージを揺動可能に支持するスクリーン印刷装置において、ペーストの横漏れを確実に防止することを目的としている。
【課題を解決するための手段】
【０００８】
上記課題を解決するために、本発明に係るスクリーン印刷装置は、基板に重ねられたマスクシートに沿って相対的に往復移動するヘッドに、その移動方向と直交する方向に細長いスキージがその長手方向と平行な支持軸回りに回動可能に支持されてなるスクリーン印刷装置において、前記ヘッドに、前記スキージの長手方向における両外側に配置されてペーストの側方への流動を阻止する横漏れ防止板が設けられ、かつこれら横漏れ防止板と前記スキージとが前記支持軸と直交する方向又は前記支持軸を中心とする回転方向に相対的に変位可能に設けられているものである（請求項１）。
【０００９】
このスクリーン印刷装置によると、スキージの長手方向両外側に横漏れ防止板が設けられ、さらにこれら横漏れ防止板がスキージに対して相対的に変位可能に構成されているため、スキージを所定の接触角度でマスクシート面に接触させながらも、その角度に拘束されることなく横漏れ防止板を適切にマスクシート面に摺接させることが可能となる。そのため、接触角度に拘わらずペーストの横漏れを確実に防止することができる。
【００１０】
なお、具体的な構成として、例えば前記支持軸回りに回動可能なスキージ組付部が前記ヘッドに設けられ、このスキージ組付部にスキージが組付けられ、前記スキージ組付部の作動により往動時と復動時とで前記スキージの傾き方向を反転させながら印刷作業を行うように前記ヘッドが構成されるものの場合、前記横漏れ防止板は、その中心線を境に前記往動時にマスクシートに摺接する第１摺接面と復動時にマスクシートに摺接する第２摺動面とを対称に備えるとともに、前記スキージ組付部に対して前記中心線上に設けられる支点軸回りに相対的に揺動可能に支持され、かつ前記第１摺接面とスキージとがなす角度および第２摺動面とスキージとがなす角度が等しくなる中立位置を中心とする所定範囲内で前記支点軸回りに揺動可能に支持された構成とすることができる（請求項２）。
【００１１】
このスクリーン印刷装置では、ヘッドが往復移動しながらその往動時と復動時とでスキージの傾き方向が反転されることにより印刷作業が進められる。スキージの傾き方向の反転は、ヘッドに対してスキージ組付部が回動することにより行われ、このとき横漏れ防止板もスキージ組付部と共に反転することとなる。そして、往動時には第１摺接面を介して横漏れ防止板がマスクシート面に摺接する一方、復動時には第２摺接面を介して横漏れ防止板がマスクシート面上に摺接することとなる。この際、スキージ組付部に対して横漏れ防止板が相対的に揺動可能に支持されていることにより、往復何れの移動時にも、スキージの接触角度に拘束されることなく横漏れ防止板が適切にマスクシート面に摺接することとなる。
【００１２】
この構成の場合、前記横漏れ防止板は、前記中立位置を基準として前記支点軸回りに弾性的に揺動可能に支持されているのが好ましい（請求項３）。
【００１３】
この構成によると、スキージ組付部に対して横漏れ防止板を相対的に前記中立位置から回動させると、横漏れ防止板を中立位置に戻す復元力（弾性力）が該横漏れ防止板に作用するため、この復元力により横漏れ防止板をマスクシート面に圧接させることが可能となる。つまり、このように横漏れ防止板をマスクシート面に圧接させることにより横漏れ防止板をより確実にマスクシート面に摺接させることが可能となる。
【００１４】
なお、請求項２又は３のスクリーン印刷装置においては、前記スキージを保持したスキージホルダが前記スキージ組付部に対して着脱自在に組付けられることにより前記スキージがスキージ組付部に組付けられ、さらに前記横漏れ防止板が前記スキージホルダに組付けられることにより、このスキージホルダを介して前記スキージ組付部に横漏れ防止板が支持されているのが好ましい（請求項４）。
【００１５】
この構成によると、スキージのサイズや接触角度に適した横漏れ防止板を予めスキージホルダに組込むことにより、ヘッドに対するスキージおよび横漏れ防止板の交換作業を簡単、かつ速やかに行うことが可能となる。
【発明の効果】
【００１６】
請求項１〜４に係るスクリーン印刷装置によると、スキージを所定の接触角度でマスクシート面に接触させながらもその角度に拘束されることなく横漏れ防止板を適切にマスクシート面に摺接させることができるため、スキージのマスクシートに対する接触角度の自由度を確保しつつ、ペーストの横漏れによる無駄な消費や、マスクシートの不要な部分へのペーストの付着を良好に防止することができる。
【発明を実施するための最良の形態】
【００１７】
本発明の実施の形態について図面を用いて説明する。
【００１８】
図１および図２は、本発明に係るスクリーン印刷装置のヘッド部分の構成を示している。図１に示すように、スクリーン印刷装置は、基板（図示省略）に重ねられるマスクシートＭに沿って相対的に往復移動する走行ユニット２と、この走行ユニット２に対して昇降可能に支持される昇降ユニット４とから構成されるヘッド１を有し、このヘッド１の作動により後述するスキージ３１を所定の角度および圧力でマスクシートＭに圧接させた状態で当該マスクシートＭ表面に沿って摺動させ、この摺動によりマスクシート上に供給されるクリーム半田、導電ペースト等のペーストを拡張するように構成されている。
【００１９】
走行ユニット２は、図外のレールに沿って一方向（図１では左右方向）に走行可能に設けられており、例えばモータを駆動源として回転駆動されるボールねじ軸に連結されることにより当該ボールねじ軸の正逆回転駆動に応じて前記レールに沿って往復移動するように構成されている。なお、以下の説明では、便宜上、走行ユニット２の走行方向をＸ軸方向、水平面上でこれと直交する方向をＹ軸方向と言うことにする（図１中に図示）。
【００２０】
昇降ユニット４は、走行ユニット２に搭載されるモータ又はエアシリンダを駆動源とする昇降駆動機構に連結されたロッド３の下端に取付けられており、前記モータ等の作動により走行ユニット２に対して昇降駆動されるようになっている。
【００２１】
昇降ユニット４には、マスクシートＭ上に供給されるペーストを拡張するための前記スキージ３１が保持されている。スキージ３１はスキージユニット３０に一体に組込まれており、以下、この昇降ユニット４の具体的な構成ととともにこのスキージユニット３０について詳細に説明する。
【００２２】
昇降ユニット４は、図１に示すようにロッド３に連結される例えばアルミ等からなるメインフレーム１０を有している。このフレーム１０の下面にはロードセル等の圧力センサ１２を介装した支持部１４が垂設されており、サブフレーム１６がこの支持部１４に揺動自在に支持されている。詳しくは、Ｘ軸方向に延びる第１支持軸１５が支持部１４に突設され、この第１支持軸１５にベアリング等を介してサブフレーム１６が装着されることにより、当該フレーム１６がこの第１支持軸１５回りに揺動自在に支持されている。
【００２３】
サブフレーム１６には、本発明に係るスキージ組付部に相当するユニット組付部材１８が回動可能に支持されるとともに、このユニット組付部材１８を駆動する駆動機構が搭載されている。
【００２４】
ユニット組付部材１８は、図３に示すように、Ｙ軸方向に細長い長方形の板状部材であって、その長手方向途中分部に立設された支持部１８ａを介してサブフレーム１６に回動可能に支持されている。詳しくは、Ｙ軸方向に延びる第２支持軸１７がその軸回りに回転可能な状態で前記サブフレーム１６に支持され、ユニット組付部材１８がこの第２支持軸１７に支持部１８ａを介して装着されることにより、サブフレーム１６に対してユニット組付部材１８が揺動自在に支持されている。
【００２５】
ユニット組付部材１８を支持する前記第２支持軸１７は、サブフレーム１６を貫通して反対側に突出しておりこの突出部分にはプーリ２４が装着されている。そして、駆動源としてのサーボモータ２２がサブフレーム１６に固定され、このモータ２２の出力軸に装着されるプーリ２３と前記プーリ２４とに亘って駆動ベルト２６が装着され、さらにこのベルト２６に対してその外周側からテンションプーリ２８が圧接することにより駆動ベルト２６が張設されている。つまり、これらサーボモータ２２、プーリ２３，２４，２８および駆動ベルト２６等により上記駆動機構が構成されており、サーボモータ２２の作動によりユニット組付部材１８が第２支持軸１７回りに正逆回転駆動されるようになっている。
【００２６】
ユニット組付部材１８には、スキージユニット３０が着脱自在に組付けられている。このスキージユニット３０は、図３および図４に示すように、スキージ３１とこれを保持するスキージホルダ３２とから構成されている。
【００２７】
スキージホルダ３２は、アルミニウム合金等の軽合金からなるＹ軸方向の細長い板状部材である。一方、スキージ３１は、例えば硬質ウレタン、あるいはステンレスからなるＹ軸方向に細長い長方形の板状部材で、同図に示すように、スキージホルダ３２に重ね合わされた状態で当該ホルダ３２に保持されている。
【００２８】
スキージホルダ３２のうちスキージ３１が保持される面の反対側の面３２ａは、前記ユニット組付部材１８に対する組付面（以下、組付面３２ａという）とされている。この組付面３２ａには、一対のねじ軸３６がＹ軸方向に所定間隔を隔てて一体的に突設されるとともに、これらねじ軸３６の先端に操作用ナット３７が螺合装着されており、後述するようにこれらねじ軸３６等によりスキージユニット３０がユニット組付部材１８に固定されるようになっている。
【００２９】
スキージホルダ３２の長手方向両端部には、さらに横漏れ防止板３４がそれぞれ設けられている。これら横漏れ防止板３４は、印刷作業時にスキージ３１の側方（Ｙ軸方向外側方）にペーストが流動して漏れる（逃げる）のを防止するための部材である。
【００３０】
横漏れ防止板３４は、図１及び図５に示すように、中心線Ｌ（図１に示す）を境に基端部から先端部（図５では上部から下部）に向って互いに接近する一対の摺接面３４ａ（第１，第２摺接面）を有した略正台形の板状部材で、中心線Ｌ上であってその基端部を支点（回転中心）としてスキージホルダ３２の末端に回動（揺動）可能に組付けられるとともに所定の中立位置に弾性的に保持されている。
【００３１】
詳しく説明すると、横漏れ防止板３４には、図５に示すように、その基端部の中央に厚み方向に貫通する貫通孔３４ｃが形成されるとともにこの貫通孔３４ｃにカラー３９が挿着されている。そして、横漏れ防止板３４の外側からこの貫通孔３４ｃ（カラー３９）に固定用ボルト４０（支点軸）が挿入され、さらにこの固定用ボルト４０がスキージホルダ３２のねじ孔３２ｂに螺合挿入されることにより、横漏れ防止板３４が固定用ボルト４０回りに回動自在な状態でスキージホルダ３２の末端に組付けられている。
【００３２】
また、各横漏れ防止板３４には、その外面側、つまりスキージホルダ３２に対する組付面側とは反対側の面の一部が厚み方向に切り掛かれることにより、基端部（貫通孔３４ｃの部分）から先端側に向って均等に広がる一対の当たり面３４ｂが形成されている。そして、略逆Ｖ字状（図５で逆Ｖ字状）に延びる一対の板ばね片３８ａを備えた付勢用部材３８がスキージホルダ３２に固定され、この付勢用部材３８の前記各板ばね片３８ａの先端が図１および図４に示すように固定用ボルト４０の両側から横漏れ防止板３４の各当たり面３４ｂにそれぞれ当接している。すなわち、横漏れ防止板３４に外力が作用しない状態では、各板ばね片３８ａの弾発力が横漏れ防止板３４に均等に作用することにより、スキージ３１と各摺接面３４ａとのなす角度α（以下、摺接面角度αという）が共に等しくなる位置（中立位置という）に横漏れ防止板３４が保持され、他方、スキージホルダ３２を拘束した状態で横漏れ防止板３４のみに外力が作用すると、板ばね片３８ａの弾発力に抗して横漏れ防止板３４が回動し、さらにこの外力を除去すると板ばね片３８ａの弾発力により横漏れ防止板３４が反対回りに回動し、その結果上記の中立位置に横漏れ防止板３４が復帰するように構成されている。
【００３３】
なお、当実施形態では、上記のように横漏れ防止板３４が中立位置にある状態において上記摺接面角度αが７０°となるようにスキージユニット３０が構成されている。
【００３４】
上記のようなスキージユニット３０は、ユニット組付部材１８に重ね合わされ状態で、前記操作用ナット３７によりこのユニット組付部材１８に組付け固定されている。
【００３５】
詳しくは、ユニット組付部材１８のＹ軸方向両端部位には、図３に示すようにスキージユニット３０の前記ねじ軸３６に対応する一対の切欠き２０が形成されており、これら切欠き２０に対して各ねじ軸３６が側方から差込まれた状態でスキージユニット３０が組付面３２ａを介してユニット組付部材１８の下面（図３で下面）に重ね合わされ、さらにこの状態で前記操作用ナット３７が締め付けられることによりスキージユニット３０がユニット組付部材１８の下面に引込み固定されている。要するに、操作用ナット３７とスキージユニット３０とによりユニット組付部材１８を挟持することにより、ユニット組付部材１８に対してスキージユニット３０が固定されている。
【００３６】
なお、ユニット組付部材１８の前記切欠き２０の具体的な形状は、例えばねじ軸３６を切欠き２０の奥端部に突き当てた状態でちょうどスキージ３１が位置決めされるように切欠き２０の幅や奥行き（案内深さ）寸法等が設定されている。
【００３７】
次ぎに、以上のようなスクリーン印刷装置の作用効果について説明する。
【００３８】
このスクリーン印刷装置では、作業開始に先立ち、スキージユニット３０をヘッド１の前記ユニット組付部材１８に組付ける準備作業が行われる。この組付けはオペレータの作業となるが、この場合、オペレータは、スキージユニット３０の各ねじ軸３６をユニット組付部材１８の切欠き２０に挿入しながらスキージユニット３０をユニット組付部材１８に重ね合わせ、その後、操作用ナット３７を締め付けてスキージユニット３０をユニット組付部材１８に対して固定することにより簡単、かつ速やかにスキージユニット３０をヘッド１に組付けることができる。なお、基板は、既にマスクシートＭが重ね合わされた状態で所定の基準位置に位置決めされているものとする。
【００３９】
準備作業が完了すると、オペレータによる作業開始の指示入力操作に基づきヘッド１が作動し、これにより当該スクリーン印刷装置において印刷作業が開始される。
【００４０】
具体的には、まず、走行ユニット２の作動によりスキージ３１が所定の作業開始位置の上方に配置されるとともにユニット組付部材１８の作動によりスキージユニット３０が回動変位し、例えば図１においてスキージ３１が右方に移動する場合には、同図中に実線で示すようにスキージ３１が進行方向に向って前屈み（鋭角）に傾いた状態にセットされる。このとき、スキージ３１は印刷作業時のアタック角度βに設定される。なお、アタック角度βとは、マスクシートＭに対するスキージ３１の接触角度、つまりスキージ３１をマスクシートＭに接触させてペーストの拡張作業を行う際のマスクシートＭに対するスキージ３１の傾き角度である（図６（ａ）参照）。
【００４１】
次いで、昇降ユニット４の作動（下降）によりマスクシートＭ上の接触ポイントにエッジ部分が当接する高さ位置にスキージ３１がセットされる。このとき、圧力センサ１２による検出値に基づいて昇降ユニット４が駆動制御されることにより予め設定された圧力でマスクシートＭに対してスキージ３１が圧接される。
【００４２】
なお、このようにスキージ３１がマスクシートＭに接触する高さ位置にセットされると、図６（ａ）に示すように横漏れ防止板３４が一方側の摺接面３４ａを介してマスクシートＭに当接した状態となるが、ここで、当実施形態では、横漏れ防止板３４が上記の通り回動可能に形成されている結果、所定の角度内（当実施形態では４０°〜７０°の範囲内）であればアタック角度βがいずれの角度であってもマスクシートＭに対して横漏れ防止板３４が隙間無く適切に接触することとなる。具体的には、例えばアタック角度β=７０°の場合には、上記の通り横漏れ防止板３４の摺接面角度αが「７０°」であるため、スキージ３１をマスクシートＭに接触させると、横漏れ防止板３４は図６（ａ）に示すように中立位置を保ったまま組付面３２ａを介してマスクシートＭに接触することとなる。これに対してアタック角度β＜摺接面角度αの場合、例えばアタック角度β=６０°，４０°の場合には、スキージ３１をマスクシートＭに接触させると図６（ｂ），（ｃ）にそれぞれ示すように横漏れ防止板３４が板ばね片３８ａの弾発力に抗して中立位置から回動変位し、この状態でマスクシートＭに接触することとなる。なお、この場合には、板ばね片３８ａの撓みに応じた弾発力でマスクシートＭに対して横漏れ防止板３４がマスクシートＭに圧接されることとなる。
【００４３】
こうしてスキージ３１が所定の接触ポイントに圧接されると、図外の供給装置によりマスクシートＭ上にペーストが供給されるとともに、走行ユニット２の作動によりスキージ３１がＸ軸方向に移動し、この移動（往動）により、マスクシートＭ上のペーストがスキージ３１により拡張される。この際、横漏れ防止板３４によりペーストの横漏れが防止されることにより、適切にペーストの拡張作業が進められる。
【００４４】
スキージ３１が終端位置に到達すると、昇降ユニット４の上昇およびユニット組付部材１８の反転駆動により、図１の二点鎖線に示すようにスキージ３１の傾き方向が切換えられるとともにこれと一体に横漏れ防止板３４の向きが切換えられる。そして、上記同様にスキージ３１がマスクシートＭ上の接触ポイントに当接する高さ位置にセットされた後、Ｘ軸方向に移動し、この移動（復動）により、マスクシートＭ上のペーストがスキージ３１により拡張される。この際、横漏れ防止板３４が他方側の摺接面３４ａ、すなわち往動時とは異なる側の摺動面３４ａを介してマスクシートＭに圧接することにより、往動時と同様にペーストの横漏れが防止されることとなる。
【００４５】
以後、このようにスキージ３１の向きを反転させながらマスクシートＭに沿ってスキージ３１が往復移動することによりペーストが拡張され、その結果、マスクシートＭに形成された開口部を介して基板にペーストが塗布（印刷）されることとなる。
【００４６】
そして、この往復動作が所定回数繰り返されると印刷作業が完了し、スキージ３１が所定のホームポジションにリセットされて当該スクリーン印刷装置による一連の印刷作業が終了する。
【００４７】
印刷作業終了後は、必要に応じてスキージユニット３０が次ぎの生産（次ロット）に対応するもの、つまり次生産に対応したスキージ３１を保持するものに交換される。この作業は、上記同様にオペレータの作業となるが、この場合、オペレータは、スキージユニット３０の前記固定用ボルト４０を緩めてユニット組付部材１８に対する固定状態を解除し、その後、切欠き２０に沿ってスキージユニット３０をユニット組付部材１８から引き離すことにより、簡単、かつ速やかにスキージユニット３０をヘッド１から取外すことができる。
【００４８】
以上説明したように、このスクリーン印刷装置では、スキージ３１の長手方向両外側に横漏れ防止板３４が設けられ、これら横漏れ防止板３４がスキージ３１に対して相対的に変位可能、具体的にはユニット組付部材１８に対して固定用ボルト４０回りに揺動可能に構成されることにより、一定の角度（４０°〜７０°の角度）内であればアタック角度βがいずれの角度であってもマスクシートＭに対して横漏れ防止板３４が隙間無く適切に接触してペーストの横漏れが防止される。従って、スキージ３１のマスクシートＭに対するアタック角度β（接触角度）の自由度を保つ一方で、ペーストの横漏れによる無駄な消費や、マスクシートＭの不要な部分へのペーストの付着を良好に防止することができる。
【００４９】
特に、この装置では、横漏れ防止板３４が板ばね片３８ａにより前記中立位置を基準として弾性的に揺動可能に設けられており、アタック角度βが７０°未満であれば、上述したように横漏れ防止板３４が板ばね片３８ａの弾発力に抗して中立位置から回動変位し、その復元力（付勢用部材３８の弾発力）で横漏れ防止板３４がマスクシートＭに圧接されるようになっているため、横漏れ防止板３４をマスクシートＭに対して確実に圧接させてペーストの横漏れを防止できるという利点がある。
【００５０】
さらに、この装置では、スキージホルダ３２にスキージ３１が保持され、この組立体（スキージユニット３０）がユニット組付部材１８に対して着脱可能に組付けられ、さらにスキージホルダ３２に対して横漏れ防止板３４が組付けられた構成となっているので、スキージ３１や横漏れ防止板３４の交換作業を簡単、かつ速やかに行うことできるという利点がある。すなわち、横漏れ防止板３４の形状や間隔はスキージ３１のサイズやアタック角度βに応じて変更する場合があるが、この構成よると、スキージ３１と、そのスキージ３１のサイズやアタック角度βに適した横漏れ防止板３４を予めスキージホルダ３２に組込んでおくことにより、スキージ３１の交換時に横漏れ防止板３４を同時に交換することができるため、ヘッド１に対してスキージ３１と横漏れ防止板３４を別個独立に着脱する構成に比べると、スキージ３１や横漏れ防止板３４の交換作業を簡単、かつ速やかに行うことできる。
【００５１】
特に、この装置では、上述したようにユニット組付部材１８に切欠き２０を設ける一方、スキージユニット３０に操作用ナット３７を螺着したねじ軸３６を設け、ねじ軸３６を切欠き２０に差込みながらユニット組付部材１８にスキージユニット３０を重ね合わせた後、操作用ナット３７を締め付けるだけでスキージユニット３０をヘッド１に組付け固定でき、また、操作用ナット３７を緩めてスキージユニット３０をユニット組付部材１８から引き離すだけで、ヘッド１からスキージユニット３０を取外すことができるという着脱構造であるため、極めて簡単、かつ速やかにスキージユニット３０（スキージ３１および横漏れ防止板３４）の交換作業を行うことができるという利点がある。
【００５２】
ところで、上述したスクリーン印刷装置は、本発明に係るスクリーン印刷装置の一例であって、その具体的な構成は、本発明の要旨を逸脱しない範囲で適宜変更可能である。
【００５３】
例えば、上記実施形態では、横漏れ防止板３４を弾性的に揺動可能に支持する構成として、板ばね片３８ａ（付勢用部材３８）の弾発力を利用するように構成しているが、例えば固定用ボルト４０にねじりコイルバネを挿着し、このコイルバネの弾発力を利用して横漏れ防止板３４を弾性的に揺動可能に支持する構成としてもよい。要は、アタック角度β＜摺接面角度αのときに弾発力が発生して横漏れ防止板３４が摺動面３４ａに圧接する構成であればよい。
【００５４】
また、上記のように付勢用部材３８を設けて横漏れ防止板３４を弾性的に揺動可能に支持する構成以外に、例えば、前記中立位置を基準とする一定の範囲内で横漏れ防止板３４がその自重で揺動し得るように構成し、スキージ３１をマスクシートＭに接触させたときに横漏れ防止板３４の自重でマスクシートＭに当接させるように構成してもよい。
【００５５】
また、上記実施形態では、ヘッド１（ユニット組付部材１８）に対して着脱可能なスキージホルダ３２（スキージユニット３０）に横漏れ防止板３４が設けられた構成となっているが、例えば、横漏れ防止板３４をユニット組付部材１８に直接設けるようにしてもよい。但し、横漏れ防止板３４の形状や間隔はスキージ３１のサイズやアタック角度βに応じて変更する場合があるので、交換時の作業性を考慮すると、上記実施形態のように横漏れ防止板３４をスキージホルダ３２（スキージユニット３０）に設けるのが望ましい。
【００５６】
なお、上記実施形態では、スキージ３１のアタック角度βが７０°〜４０°であることを前提として横漏れ防止板３４の前記摺接面角度αが７０°に構成されているが、勿論、摺接面角度α等の細部の構成は、具体的なスキージ３１のアタック角度βに応じて適宜変更可能であり、実施形態のものに限られるものではない。
【００５７】
また、この実施形態では、スキージ３１の回動半径方向に対してスキージ３１の作業面（つまりペーストを拡張させるための面）が直交するように構成されたスクリーン印刷装置の例であるが、勿論、従来技術の特許文献１に開示されるように、スキージの作業面が回動半径方向とほぼ平行となるようにスキージが設けられるスクリーン印刷装置についても本発明が適用可能であることは言うまでもない。
【図面の簡単な説明】
【００５８】
【図１】本発明に係るスクリーン印刷装置のヘッド部分を示す側面図である。
【図２】スクリーン印刷装置の昇降ユニットを示す斜視図である。
【図３】ユニット組付部材からスキージユニットを取り外した状態を示す昇降ユニットの斜視図である。
【図４】スキージユニットの構成を示す斜視図である。
【図５】スキージユニットにおける横漏れ防止板の取付け構造を示す分解斜視図である。
【図６】印刷作業時のスキージと横漏れ防止板との位置関係を示す模式図である（（ａ）はアタック角度が７０°の場合、（ｂ）はアタック角度が６０°の場合、（ｃ）はアタック角度が４０°の場合をそれぞれ示している）。
【符号の説明】
【００５９】
１  ヘッド
２  走行ユニット
４  昇降ユニット
１８  ユニット組付部材
２０  切欠き
２２  サーボモータ
３０  スキージユニット
３１  スキージ
３４  横漏れ防止板
３６  ねじ軸
４０  固定用ボルト
【図１】
2006069088.tif 000003
【図２】
2006069088.tif 000004
【図３】
2006069088.tif 000005
【図４】
2006069088.tif 000006
【図５】
2006069088.tif 000007
【図６】
2006069088.tif 000008
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
基板に重ねられたマスクシートに沿って相対的に往復移動するヘッドに、その移動方向と直交する方向に細長いスキージがその長手方向と平行な支持軸回りに回動可能に支持されたスクリーン印刷装置において、
前記ヘッドに、前記スキージの長手方向における両外側に配置されてペーストの側方への流動を阻止する横漏れ防止板が設けられ、これら横漏れ防止板と前記スキージとが前記支持軸と直交する方向に相対的に変位可能に設けられていることを特徴とするスクリーン印刷装置。
【請求項２】
請求項１に記載のスクリーン印刷装置において、
前記支持軸回りに回動可能なスキージ組付部が前記ヘッドに設けられ、このスキージ組付部にスキージが組付けられ、前記スキージ組付部の作動により前記ヘッドの往動時と復動時とで前記スキージの傾き方向を反転させながら印刷作業を行うように構成されるものであって、
前記横漏れ防止板は、その中心線を境に前記往動時にマスクシートに摺接する第１摺接面と復動時にマスクシートに摺接する第２摺動面とを対称に備えるとともに、前記スキージ組付部に対して前記中心線上に設けられる支点軸回りに相対的に揺動可能に支持され、かつ前記第１摺接面とスキージとがなす角度および第２摺動面とスキージとがなす角度が等しくなる中立位置を中心とする所定範囲内で前記支点軸回りに揺動可能に支持されていることを特徴とするスクリーン印刷装置。
【請求項３】
請求項２に記載のスクリーン印刷装置において、
前記横漏れ防止板は、前記中立位置を基準として前記支点軸回りに弾性的に揺動可能に支持されていることを特徴とするスクリーン印刷装置。
【請求項４】
請求項２又は３に記載のスクリーン印刷装置において、
前記スキージを保持したスキージホルダが前記スキージ組付部に対して着脱自在に組付けられることにより前記スキージがスキージ組付部に組付けられ、
前記横漏れ防止板が前記スキージホルダに組付けられることにより、このスキージホルダを介して前記スキージ組付部に横漏れ防止板が支持されていることを特徴とするスクリーン印刷装置。
【請求項５】
基板に重ねられたマスクシートに沿って相対的に往復移動するヘッドに、その移動方向と直交する方向に細長いスキージがその長手方向と平行な支持軸回りに回動可能に支持されたスクリーン印刷装置において、
前記ヘッドは、マスクシートに沿って相対的に往復移動する走行ユニットと、この走行ユニットに対して昇降可能に支持される昇降ユニットとから構成され、
前記昇降ユニットは、この昇降ユニットに設けられた支持部に揺動自在に支持されたサブフレームを有し、
このサブフレームに、前記支持軸回りに回動可能なスキージ組付部と、このスキージ組付部に組付けられたスキージと、スキージ組付部を回動する駆動機構とが搭載されていることを特徴とするスクリーン印刷装置。
【請求項６】
請求項５に記載のスクリーン印刷装置において、
前記サブフレームを揺動自在に支持する支持部は、前記昇降ユニットに設けられたメインフレームに圧力センサを介して垂設されていることを特徴とするスクリーン印刷装置。
【請求項７】
請求項５又は６に記載のスクリーン印刷装置において、 
前記駆動機構は駆動源としてのサーボモータと伝動機構とを有し、これらサーボモータ及び伝動機構が前記サブフレームに搭載されていることを特徴とするスクリーン印刷装置。
【手続補正２】
【補正対象書類名】明細書
【補正対象項目名】全文
【補正方法】変更
【補正の内容】
【発明の詳細な説明】
【技術分野】
【０００１】
本発明は、プリント基板等の基板にクリーム半田等のペーストを塗布するスクリーン印刷装置に関するものである。
【背景技術】
【０００２】
従来から、ステージ上にセットした基板にマスクシート（以下、マスクという）を重装し、マスク上に供給したクリーム半田、導電ペースト等のペーストをスキージで拡張することにより、マスクに形成された開口部を介して基板上の所定位置にペーストを塗布（印刷）するようにしたスクリーン印刷装置が一般に知られている。
【０００３】
この種のスクリーン印刷装置としては、従来、傾き方向の異なる一対のスキージを昇降可能に備えたヘッドをもち、このヘッドをマスクに沿って往復移動させながら上記一対のスキージを交互に使ってペーストを拡張するものが主流であったが、この装置では、各スキージを別個に昇降させるために往時と復時の印刷荷重を均一に保つのが難しく、またマスクに対するスキージの接触角度の自由度が少ない等の課題があった。
【０００４】
そこで、近年では、例えば特許文献１に開示されるように、スキージをヘッドに対してその長手方向と平行な軸（支持軸）回りに揺動可能に支持したスクリーン印刷装置が提案されており、この装置によると、スキージを前記軸回りに駆動するだけでマスクに対する接触角度（スキージとマスクシート面とのなす角度）を任意に設定でき、また単一の機構でスキージを昇降駆動できるため往時と復時の印刷荷重を均一に保ち易くなる。
【特許文献１】特開平１０−３２３９６４号
【発明の開示】
【発明が解決しようとする課題】
【０００５】
ところで、スクリーン印刷装置では、スキージによりペーストを拡張させる際にペーストがスキージの長手方向両外側にはみ出して無駄に消費されたり、マスク上の不要な部分に付着することがあるため、多くの装置ではスキージの長手方向両外側に側板（横漏れ防止板）を設け、スキージと共にこれら横漏れ防止板をマスクに摺接させることによりペーストの横漏れを防止することが行われている。
【０００６】
従って、スキージの接触角度を任意に設定できる特許文献１に開示されるような装置についても、上記のように接触角度の自由度を確保する一方で、いずれの接触角度に設定された場合でもペーストの横漏れを確実に防止し得るようにすることが要求されるが、特許文献１にはこの点については何ら開示されていない。
【０００７】
本発明は上記の事情に鑑みてなされたものであって、ヘッドに対してスキージを揺動可能に支持するスクリーン印刷装置において、ペーストの横漏れを確実に防止することを目的としている。
【課題を解決するための手段】
【０００８】
上記課題を解決するために、本発明に係るスクリーン印刷装置は、基板に重ねられたマスクシートに沿って相対的に往復移動するヘッドに、その移動方向と直交する方向に細長いスキージがその長手方向と平行な支持軸回りに回動可能に支持されてなるスクリーン印刷装置において、前記ヘッドに、前記スキージの長手方向における両外側に配置されてペーストの側方への流動を阻止する横漏れ防止板が設けられ、かつこれら横漏れ防止板と前記スキージとが前記支持軸と直交する方向又は前記支持軸を中心とする回転方向に相対的に変位可能に設けられているものである（請求項１）。
【０００９】
このスクリーン印刷装置によると、スキージの長手方向両外側に横漏れ防止板が設けられ、さらにこれら横漏れ防止板がスキージに対して相対的に変位可能に構成されているため、スキージを所定の接触角度でマスクシート面に接触させながらも、その角度に拘束されることなく横漏れ防止板を適切にマスクシート面に摺接させることが可能となる。そのため、接触角度に拘わらずペーストの横漏れを確実に防止することができる。
【００１０】
なお、具体的な構成として、例えば前記支持軸回りに回動可能なスキージ組付部が前記ヘッドに設けられ、このスキージ組付部にスキージが組付けられ、前記スキージ組付部の作動により往動時と復動時とで前記スキージの傾き方向を反転させながら印刷作業を行うように前記ヘッドが構成されるものの場合、前記横漏れ防止板は、その中心線を境に前記往動時にマスクシートに摺接する第１摺接面と復動時にマスクシートに摺接する第２摺動面とを対称に備えるとともに、前記スキージ組付部に対して前記中心線上に設けられる支点軸回りに相対的に揺動可能に支持され、かつ前記第１摺接面とスキージとがなす角度および第２摺動面とスキージとがなす角度が等しくなる中立位置を中心とする所定範囲内で前記支点軸回りに揺動可能に支持された構成とすることができる（請求項２）。
【００１１】
このスクリーン印刷装置では、ヘッドが往復移動しながらその往動時と復動時とでスキージの傾き方向が反転されることにより印刷作業が進められる。スキージの傾き方向の反転は、ヘッドに対してスキージ組付部が回動することにより行われ、このとき横漏れ防止板もスキージ組付部と共に反転することとなる。そして、往動時には第１摺接面を介して横漏れ防止板がマスクシート面に摺接する一方、復動時には第２摺接面を介して横漏れ防止板がマスクシート面上に摺接することとなる。この際、スキージ組付部に対して横漏れ防止板が相対的に揺動可能に支持されていることにより、往復何れの移動時にも、スキージの接触角度に拘束されることなく横漏れ防止板が適切にマスクシート面に摺接することとなる。
【００１２】
この構成の場合、前記横漏れ防止板は、前記中立位置を基準として前記支点軸回りに弾性的に揺動可能に支持されているのが好ましい（請求項３）。
【００１３】
この構成によると、スキージ組付部に対して横漏れ防止板を相対的に前記中立位置から回動させると、横漏れ防止板を中立位置に戻す復元力（弾性力）が該横漏れ防止板に作用するため、この復元力により横漏れ防止板をマスクシート面に圧接させることが可能となる。つまり、このように横漏れ防止板をマスクシート面に圧接させることにより横漏れ防止板をより確実にマスクシート面に摺接させることが可能となる。
【００１４】
なお、請求項２又は３のスクリーン印刷装置においては、前記スキージを保持したスキージホルダが前記スキージ組付部に対して着脱自在に組付けられることにより前記スキージがスキージ組付部に組付けられ、さらに前記横漏れ防止板が前記スキージホルダに組付けられることにより、このスキージホルダを介して前記スキージ組付部に横漏れ防止板が支持されているのが好ましい（請求項４）。
【００１５】
この構成によると、スキージのサイズや接触角度に適した横漏れ防止板を予めスキージホルダに組込むことにより、ヘッドに対するスキージおよび横漏れ防止板の交換作業を簡単、かつ速やかに行うことが可能となる。
【００１６】
また、本発明に係るスクリーン印刷装置は、基板に重ねられたマスクシートに沿って相対的に往復移動するヘッドに、その移動方向と直交する方向に細長いスキージがその長手方向と平行な支持軸回りに回動可能に支持されたスクリーン印刷装置において、前記ヘッドは、マスクシートに沿って相対的に往復移動する走行ユニットと、この走行ユニットに対して昇降可能に支持される昇降ユニットとから構成され、前記昇降ユニットは、この昇降ユニットに設けられた支持部に揺動自在に支持されたサブフレームを有し、このサブフレームに、前記支持軸回りに回動可能なスキージ組付部と、このスキージ組付部に組付けられたスキージと、スキージ組付部を回動する駆動機構とが搭載されているものである（請求項５）。
【００１７】
このスクリーン印刷装置によると、印刷に際してスキージがマスクシート上に当接する高さ位置にセットされるとき、前記サブフレームが揺動自在であることによりスキージがマスクシートに沿った状態に調整される。また、前記支持軸回りに回動可能なスキージ組付部と、このスキージ組付部に組付けられたスキージと、このスキージ組付部を回動する駆動機構とがサブフレームに搭載されることにより、マスクシートに対するスキージの傾き角度の調整が良好に行われる。
【００１８】
このスクリーン印刷装置において、前記サブフレームを揺動自在に支持する支持部は、前記昇降ユニットに設けられたメインフレームに圧力センサを介して垂設されていることが好ましい（請求項６）。
【００１９】
この構成によると、印刷に際して昇降ユニットの下降によりスキージがマスクシート上に当接する高さ位置にセットされるとき、前記圧力センサによる検出値に基づいて昇降ユニットが駆動制御されることにより、マスクシートに圧接する圧力が調整される。
【００２０】
なお、前記駆動機構は、具体的には駆動源としてのサーボモータと伝動機構とを有し、これらサーボモータ及び伝動機構が前記サブフレームに搭載されている（請求項７）。
【発明の効果】
【００２１】
請求項１〜４に係るスクリーン印刷装置によると、スキージを所定の接触角度でマスクシート面に接触させながらもその角度に拘束されることなく横漏れ防止板を適切にマスクシート面に摺接させることができるため、スキージのマスクシートに対する接触角度の自由度を確保しつつ、ペーストの横漏れによる無駄な消費や、マスクシートの不要な部分へのペーストの付着を良好に防止することができる。
【発明を実施するための最良の形態】
【００２２】
本発明の実施の形態について図面を用いて説明する。
【００２３】
図１および図２は、本発明に係るスクリーン印刷装置のヘッド部分の構成を示している。図１に示すように、スクリーン印刷装置は、基板（図示省略）に重ねられるマスクシートＭに沿って相対的に往復移動する走行ユニット２と、この走行ユニット２に対して昇降可能に支持される昇降ユニット４とから構成されるヘッド１を有し、このヘッド１の作動により後述するスキージ３１を所定の角度および圧力でマスクシートＭに圧接させた状態で当該マスクシートＭ表面に沿って摺動させ、この摺動によりマスクシート上に供給されるクリーム半田、導電ペースト等のペーストを拡張するように構成されている。
【００２４】
走行ユニット２は、図外のレールに沿って一方向（図１では左右方向）に走行可能に設けられており、例えばモータを駆動源として回転駆動されるボールねじ軸に連結されることにより当該ボールねじ軸の正逆回転駆動に応じて前記レールに沿って往復移動するように構成されている。なお、以下の説明では、便宜上、走行ユニット２の走行方向をＸ軸方向、水平面上でこれと直交する方向をＹ軸方向と言うことにする（図１中に図示）。
【００２５】
昇降ユニット４は、走行ユニット２に搭載されるモータ又はエアシリンダを駆動源とする昇降駆動機構に連結されたロッド３の下端に取付けられており、前記モータ等の作動により走行ユニット２に対して昇降駆動されるようになっている。
【００２６】
昇降ユニット４には、マスクシートＭ上に供給されるペーストを拡張するための前記スキージ３１が保持されている。スキージ３１はスキージユニット３０に一体に組込まれており、以下、この昇降ユニット４の具体的な構成ととともにこのスキージユニット３０について詳細に説明する。
【００２７】
昇降ユニット４は、図１に示すようにロッド３に連結される例えばアルミ等からなるメインフレーム１０を有している。このフレーム１０の下面にはロードセル等の圧力センサ１２を介装した支持部１４が垂設されており、サブフレーム１６がこの支持部１４に揺動自在に支持されている。詳しくは、Ｘ軸方向に延びる第１支持軸１５が支持部１４に突設され、この第１支持軸１５にベアリング等を介してサブフレーム１６が装着されることにより、当該フレーム１６がこの第１支持軸１５回りに揺動自在に支持されている。
【００２８】
サブフレーム１６には、本発明に係るスキージ組付部に相当するユニット組付部材１８が回動可能に支持されるとともに、このユニット組付部材１８を駆動する駆動機構が搭載されている。
【００２９】
ユニット組付部材１８は、図３に示すように、Ｙ軸方向に細長い長方形の板状部材であって、その長手方向途中分部に立設された支持部１８ａを介してサブフレーム１６に回動可能に支持されている。詳しくは、Ｙ軸方向に延びる第２支持軸１７がその軸回りに回転可能な状態で前記サブフレーム１６に支持され、ユニット組付部材１８がこの第２支持軸１７に支持部１８ａを介して装着されることにより、サブフレーム１６に対してユニット組付部材１８が揺動自在に支持されている。
【００３０】
ユニット組付部材１８を支持する前記第２支持軸１７は、サブフレーム１６を貫通して反対側に突出しておりこの突出部分にはプーリ２４が装着されている。そして、駆動源としてのサーボモータ２２がサブフレーム１６に固定され、このモータ２２の出力軸に装着されるプーリ２３と前記プーリ２４とに亘って駆動ベルト２６が装着され、さらにこのベルト２６に対してその外周側からテンションプーリ２８が圧接することにより駆動ベルト２６が張設されている。つまり、これらサーボモータ２２、プーリ２３，２４，２８および駆動ベルト２６等により上記駆動機構が構成されており、サーボモータ２２の作動によりユニット組付部材１８が第２支持軸１７回りに正逆回転駆動されるようになっている。
【００３１】
ユニット組付部材１８には、スキージユニット３０が着脱自在に組付けられている。このスキージユニット３０は、図３および図４に示すように、スキージ３１とこれを保持するスキージホルダ３２とから構成されている。
【００３２】
スキージホルダ３２は、アルミニウム合金等の軽合金からなるＹ軸方向の細長い板状部材である。一方、スキージ３１は、例えば硬質ウレタン、あるいはステンレスからなるＹ軸方向に細長い長方形の板状部材で、同図に示すように、スキージホルダ３２に重ね合わされた状態で当該ホルダ３２に保持されている。
【００３３】
スキージホルダ３２のうちスキージ３１が保持される面の反対側の面３２ａは、前記ユニット組付部材１８に対する組付面（以下、組付面３２ａという）とされている。この組付面３２ａには、一対のねじ軸３６がＹ軸方向に所定間隔を隔てて一体的に突設されるとともに、これらねじ軸３６の先端に操作用ナット３７が螺合装着されており、後述するようにこれらねじ軸３６等によりスキージユニット３０がユニット組付部材１８に固定されるようになっている。
【００３４】
スキージホルダ３２の長手方向両端部には、さらに横漏れ防止板３４がそれぞれ設けられている。これら横漏れ防止板３４は、印刷作業時にスキージ３１の側方（Ｙ軸方向外側方）にペーストが流動して漏れる（逃げる）のを防止するための部材である。
【００３５】
横漏れ防止板３４は、図１及び図５に示すように、中心線Ｌ（図１に示す）を境に基端部から先端部（図５では上部から下部）に向って互いに接近する一対の摺接面３４ａ（第１，第２摺接面）を有した略正台形の板状部材で、中心線Ｌ上であってその基端部を支点（回転中心）としてスキージホルダ３２の末端に回動（揺動）可能に組付けられるとともに所定の中立位置に弾性的に保持されている。
【００３６】
詳しく説明すると、横漏れ防止板３４には、図５に示すように、その基端部の中央に厚み方向に貫通する貫通孔３４ｃが形成されるとともにこの貫通孔３４ｃにカラー３９が挿着されている。そして、横漏れ防止板３４の外側からこの貫通孔３４ｃ（カラー３９）に固定用ボルト４０（支点軸）が挿入され、さらにこの固定用ボルト４０がスキージホルダ３２のねじ孔３２ｂに螺合挿入されることにより、横漏れ防止板３４が固定用ボルト４０回りに回動自在な状態でスキージホルダ３２の末端に組付けられている。
【００３７】
また、各横漏れ防止板３４には、その外面側、つまりスキージホルダ３２に対する組付面側とは反対側の面の一部が厚み方向に切り掛かれることにより、基端部（貫通孔３４ｃの部分）から先端側に向って均等に広がる一対の当たり面３４ｂが形成されている。そして、略逆Ｖ字状（図５で逆Ｖ字状）に延びる一対の板ばね片３８ａを備えた付勢用部材３８がスキージホルダ３２に固定され、この付勢用部材３８の前記各板ばね片３８ａの先端が図１および図４に示すように固定用ボルト４０の両側から横漏れ防止板３４の各当たり面３４ｂにそれぞれ当接している。すなわち、横漏れ防止板３４に外力が作用しない状態では、各板ばね片３８ａの弾発力が横漏れ防止板３４に均等に作用することにより、スキージ３１と各摺接面３４ａとのなす角度α（以下、摺接面角度αという）が共に等しくなる位置（中立位置という）に横漏れ防止板３４が保持され、他方、スキージホルダ３２を拘束した状態で横漏れ防止板３４のみに外力が作用すると、板ばね片３８ａの弾発力に抗して横漏れ防止板３４が回動し、さらにこの外力を除去すると板ばね片３８ａの弾発力により横漏れ防止板３４が反対回りに回動し、その結果上記の中立位置に横漏れ防止板３４が復帰するように構成されている。
【００３８】
なお、当実施形態では、上記のように横漏れ防止板３４が中立位置にある状態において上記摺接面角度αが７０°となるようにスキージユニット３０が構成されている。
【００３９】
上記のようなスキージユニット３０は、ユニット組付部材１８に重ね合わされ状態で、前記操作用ナット３７によりこのユニット組付部材１８に組付け固定されている。
【００４０】
詳しくは、ユニット組付部材１８のＹ軸方向両端部位には、図３に示すようにスキージユニット３０の前記ねじ軸３６に対応する一対の切欠き２０が形成されており、これら切欠き２０に対して各ねじ軸３６が側方から差込まれた状態でスキージユニット３０が組付面３２ａを介してユニット組付部材１８の下面（図３で下面）に重ね合わされ、さらにこの状態で前記操作用ナット３７が締め付けられることによりスキージユニット３０がユニット組付部材１８の下面に引込み固定されている。要するに、操作用ナット３７とスキージユニット３０とによりユニット組付部材１８を挟持することにより、ユニット組付部材１８に対してスキージユニット３０が固定されている。
【００４１】
なお、ユニット組付部材１８の前記切欠き２０の具体的な形状は、例えばねじ軸３６を切欠き２０の奥端部に突き当てた状態でちょうどスキージ３１が位置決めされるように切欠き２０の幅や奥行き（案内深さ）寸法等が設定されている。
【００４２】
次ぎに、以上のようなスクリーン印刷装置の作用効果について説明する。
【００４３】
このスクリーン印刷装置では、作業開始に先立ち、スキージユニット３０をヘッド１の前記ユニット組付部材１８に組付ける準備作業が行われる。この組付けはオペレータの作業となるが、この場合、オペレータは、スキージユニット３０の各ねじ軸３６をユニット組付部材１８の切欠き２０に挿入しながらスキージユニット３０をユニット組付部材１８に重ね合わせ、その後、操作用ナット３７を締め付けてスキージユニット３０をユニット組付部材１８に対して固定することにより簡単、かつ速やかにスキージユニット３０をヘッド１に組付けることができる。なお、基板は、既にマスクシートＭが重ね合わされた状態で所定の基準位置に位置決めされているものとする。
【００４４】
準備作業が完了すると、オペレータによる作業開始の指示入力操作に基づきヘッド１が作動し、これにより当該スクリーン印刷装置において印刷作業が開始される。
【００４５】
具体的には、まず、走行ユニット２の作動によりスキージ３１が所定の作業開始位置の上方に配置されるとともにユニット組付部材１８の作動によりスキージユニット３０が回動変位し、例えば図１においてスキージ３１が右方に移動する場合には、同図中に実線で示すようにスキージ３１が進行方向に向って前屈み（鋭角）に傾いた状態にセットされる。このとき、スキージ３１は印刷作業時のアタック角度βに設定される。なお、アタック角度βとは、マスクシートＭに対するスキージ３１の接触角度、つまりスキージ３１をマスクシートＭに接触させてペーストの拡張作業を行う際のマスクシートＭに対するスキージ３１の傾き角度である（図６（ａ）参照）。
【００４６】
次いで、昇降ユニット４の作動（下降）によりマスクシートＭ上の接触ポイントにエッジ部分が当接する高さ位置にスキージ３１がセットされる。このとき、圧力センサ１２による検出値に基づいて昇降ユニット４が駆動制御されることにより予め設定された圧力でマスクシートＭに対してスキージ３１が圧接される。
【００４７】
なお、このようにスキージ３１がマスクシートＭに接触する高さ位置にセットされると、図６（ａ）に示すように横漏れ防止板３４が一方側の摺接面３４ａを介してマスクシートＭに当接した状態となるが、ここで、当実施形態では、横漏れ防止板３４が上記の通り回動可能に形成されている結果、所定の角度内（当実施形態では４０°〜７０°の範囲内）であればアタック角度βがいずれの角度であってもマスクシートＭに対して横漏れ防止板３４が隙間無く適切に接触することとなる。具体的には、例えばアタック角度β=７０°の場合には、上記の通り横漏れ防止板３４の摺接面角度αが「７０°」であるため、スキージ３１をマスクシートＭに接触させると、横漏れ防止板３４は図６（ａ）に示すように中立位置を保ったまま組付面３２ａを介してマスクシートＭに接触することとなる。これに対してアタック角度β＜摺接面角度αの場合、例えばアタック角度β=６０°，４０°の場合には、スキージ３１をマスクシートＭに接触させると図６（ｂ），（ｃ）にそれぞれ示すように横漏れ防止板３４が板ばね片３８ａの弾発力に抗して中立位置から回動変位し、この状態でマスクシートＭに接触することとなる。なお、この場合には、板ばね片３８ａの撓みに応じた弾発力でマスクシートＭに対して横漏れ防止板３４がマスクシートＭに圧接されることとなる。
【００４８】
こうしてスキージ３１が所定の接触ポイントに圧接されると、図外の供給装置によりマスクシートＭ上にペーストが供給されるとともに、走行ユニット２の作動によりスキージ３１がＸ軸方向に移動し、この移動（往動）により、マスクシートＭ上のペーストがスキージ３１により拡張される。この際、横漏れ防止板３４によりペーストの横漏れが防止されることにより、適切にペーストの拡張作業が進められる。
【００４９】
スキージ３１が終端位置に到達すると、昇降ユニット４の上昇およびユニット組付部材１８の反転駆動により、図１の二点鎖線に示すようにスキージ３１の傾き方向が切換えられるとともにこれと一体に横漏れ防止板３４の向きが切換えられる。そして、上記同様にスキージ３１がマスクシートＭ上の接触ポイントに当接する高さ位置にセットされた後、Ｘ軸方向に移動し、この移動（復動）により、マスクシートＭ上のペーストがスキージ３１により拡張される。この際、横漏れ防止板３４が他方側の摺接面３４ａ、すなわち往動時とは異なる側の摺動面３４ａを介してマスクシートＭに圧接することにより、往動時と同様にペーストの横漏れが防止されることとなる。
【００５０】
以後、このようにスキージ３１の向きを反転させながらマスクシートＭに沿ってスキージ３１が往復移動することによりペーストが拡張され、その結果、マスクシートＭに形成された開口部を介して基板にペーストが塗布（印刷）されることとなる。
【００５１】
そして、この往復動作が所定回数繰り返されると印刷作業が完了し、スキージ３１が所定のホームポジションにリセットされて当該スクリーン印刷装置による一連の印刷作業が終了する。
【００５２】
印刷作業終了後は、必要に応じてスキージユニット３０が次ぎの生産（次ロット）に対応するもの、つまり次生産に対応したスキージ３１を保持するものに交換される。この作業は、上記同様にオペレータの作業となるが、この場合、オペレータは、スキージユニット３０の前記固定用ボルト４０を緩めてユニット組付部材１８に対する固定状態を解除し、その後、切欠き２０に沿ってスキージユニット３０をユニット組付部材１８から引き離すことにより、簡単、かつ速やかにスキージユニット３０をヘッド１から取外すことができる。
【００５３】
以上説明したように、このスクリーン印刷装置では、スキージ３１の長手方向両外側に横漏れ防止板３４が設けられ、これら横漏れ防止板３４がスキージ３１に対して相対的に変位可能、具体的にはユニット組付部材１８に対して固定用ボルト４０回りに揺動可能に構成されることにより、一定の角度（４０°〜７０°の角度）内であればアタック角度βがいずれの角度であってもマスクシートＭに対して横漏れ防止板３４が隙間無く適切に接触してペーストの横漏れが防止される。従って、スキージ３１のマスクシートＭに対するアタック角度β（接触角度）の自由度を保つ一方で、ペーストの横漏れによる無駄な消費や、マスクシートＭの不要な部分へのペーストの付着を良好に防止することができる。
【００５４】
特に、この装置では、横漏れ防止板３４が板ばね片３８ａにより前記中立位置を基準として弾性的に揺動可能に設けられており、アタック角度βが７０°未満であれば、上述したように横漏れ防止板３４が板ばね片３８ａの弾発力に抗して中立位置から回動変位し、その復元力（付勢用部材３８の弾発力）で横漏れ防止板３４がマスクシートＭに圧接されるようになっているため、横漏れ防止板３４をマスクシートＭに対して確実に圧接させてペーストの横漏れを防止できるという利点がある。
【００５５】
さらに、この装置では、スキージホルダ３２にスキージ３１が保持され、この組立体（スキージユニット３０）がユニット組付部材１８に対して着脱可能に組付けられ、さらにスキージホルダ３２に対して横漏れ防止板３４が組付けられた構成となっているので、スキージ３１や横漏れ防止板３４の交換作業を簡単、かつ速やかに行うことできるという利点がある。すなわち、横漏れ防止板３４の形状や間隔はスキージ３１のサイズやアタック角度βに応じて変更する場合があるが、この構成よると、スキージ３１と、そのスキージ３１のサイズやアタック角度βに適した横漏れ防止板３４を予めスキージホルダ３２に組込んでおくことにより、スキージ３１の交換時に横漏れ防止板３４を同時に交換することができるため、ヘッド１に対してスキージ３１と横漏れ防止板３４を別個独立に着脱する構成に比べると、スキージ３１や横漏れ防止板３４の交換作業を簡単、かつ速やかに行うことできる。
【００５６】
特に、この装置では、上述したようにユニット組付部材１８に切欠き２０を設ける一方、スキージユニット３０に操作用ナット３７を螺着したねじ軸３６を設け、ねじ軸３６を切欠き２０に差込みながらユニット組付部材１８にスキージユニット３０を重ね合わせた後、操作用ナット３７を締め付けるだけでスキージユニット３０をヘッド１に組付け固定でき、また、操作用ナット３７を緩めてスキージユニット３０をユニット組付部材１８から引き離すだけで、ヘッド１からスキージユニット３０を取外すことができるという着脱構造であるため、極めて簡単、かつ速やかにスキージユニット３０（スキージ３１および横漏れ防止板３４）の交換作業を行うことができるという利点がある。
【００５７】
ところで、上述したスクリーン印刷装置は、本発明に係るスクリーン印刷装置の一例であって、その具体的な構成は、本発明の要旨を逸脱しない範囲で適宜変更可能である。
【００５８】
例えば、上記実施形態では、横漏れ防止板３４を弾性的に揺動可能に支持する構成として、板ばね片３８ａ（付勢用部材３８）の弾発力を利用するように構成しているが、例えば固定用ボルト４０にねじりコイルバネを挿着し、このコイルバネの弾発力を利用して横漏れ防止板３４を弾性的に揺動可能に支持する構成としてもよい。要は、アタック角度β＜摺接面角度αのときに弾発力が発生して横漏れ防止板３４が摺動面３４ａに圧接する構成であればよい。
【００５９】
また、上記のように付勢用部材３８を設けて横漏れ防止板３４を弾性的に揺動可能に支持する構成以外に、例えば、前記中立位置を基準とする一定の範囲内で横漏れ防止板３４がその自重で揺動し得るように構成し、スキージ３１をマスクシートＭに接触させたときに横漏れ防止板３４の自重でマスクシートＭに当接させるように構成してもよい。
【００６０】
また、上記実施形態では、ヘッド１（ユニット組付部材１８）に対して着脱可能なスキージホルダ３２（スキージユニット３０）に横漏れ防止板３４が設けられた構成となっているが、例えば、横漏れ防止板３４をユニット組付部材１８に直接設けるようにしてもよい。但し、横漏れ防止板３４の形状や間隔はスキージ３１のサイズやアタック角度βに応じて変更する場合があるので、交換時の作業性を考慮すると、上記実施形態のように横漏れ防止板３４をスキージホルダ３２（スキージユニット３０）に設けるのが望ましい。
【００６１】
なお、上記実施形態では、スキージ３１のアタック角度βが７０°〜４０°であることを前提として横漏れ防止板３４の前記摺接面角度αが７０°に構成されているが、勿論、摺接面角度α等の細部の構成は、具体的なスキージ３１のアタック角度βに応じて適宜変更可能であり、実施形態のものに限られるものではない。
【００６２】
また、この実施形態では、スキージ３１の回動半径方向に対してスキージ３１の作業面（つまりペーストを拡張させるための面）が直交するように構成されたスクリーン印刷装置の例であるが、勿論、従来技術の特許文献１に開示されるように、スキージの作業面が回動半径方向とほぼ平行となるようにスキージが設けられるスクリーン印刷装置についても本発明が適用可能であることは言うまでもない。
【図面の簡単な説明】
【００６３】
【図１】本発明に係るスクリーン印刷装置のヘッド部分を示す側面図である。
【図２】スクリーン印刷装置の昇降ユニットを示す斜視図である。
【図３】ユニット組付部材からスキージユニットを取り外した状態を示す昇降ユニットの斜視図である。
【図４】スキージユニットの構成を示す斜視図である。
【図５】スキージユニットにおける横漏れ防止板の取付け構造を示す分解斜視図である。
【図６】印刷作業時のスキージと横漏れ防止板との位置関係を示す模式図である（（ａ）はアタック角度が７０°の場合、（ｂ）はアタック角度が６０°の場合、（ｃ）はアタック角度が４０°の場合をそれぞれ示している）。
【符号の説明】
【００６４】
１  ヘッド
２  走行ユニット
４  昇降ユニット
１８  ユニット組付部材
２０  切欠き
２２  サーボモータ
３０  スキージユニット
３１  スキージ
３４  横漏れ防止板
３６  ねじ軸
４０  固定用ボルト